【事件の表示】
　平成　６年特許願第　　４０３０号「画像読取り装置」拒絶査定不服審判事件〔平成　７年　８月１１日出願公開、特開平　７−２１２５８９〕について、次のとおり審決する。
【結　論】
　本件審判の請求は、成り立たない。
【理　由】
１．手続きの経緯・本願発明 
　本願は、平成６年１月１９日の出願であって、その請求項３に記載された発明は、特許請求の範囲の請求項３に記載された次のとおりのものである（以下、「本願発明」という。）。
 　「【請求項３】　原稿に光を照射しながらこの原稿を走査する光源と、この光源による原稿走査時にこの原稿からの反射光を受ける位置に配列された複数の光電変換素子と、これらの光電変換素子からの出力信号のレベルに応じた画像信号を出力する画像処理手段とを備えた画像読取り装置において、上記原稿の種類に応じて設定された複数種の原稿モードの中から選択した原稿モードを外部から指定するための原稿モード指定手段と、白色と黒色との間の中間色原稿からの反射光のレベルに相当するレベルを含む複数種のレベルの光をそれぞれ各光電変換素子に受光させた時の各光電変換素子からの出力信号のレベルのばらつきを削減する方向の複数種のシェーディング補正値を記憶するシェーディング補正値記憶手段と、上記光源による原稿走査時に上記シェーディング補正値記憶手段で記憶されたシェーディング補正値のうち上記原稿モード指定手段で指定された原稿モードに対応するシェーディング補正値により各光電変換素子からの出力信号を補正するシェーディング補正手段とを備えたことを特徴とする画像読取り装置。」
  
２．引用例 
　（１）原査定の拒絶の理由に引用された特開昭６２−１７２８６６号公報（以下、「引用例１」という。）には、
　ア　「（１）読取り対象からの入射光を光電変換する複数個の光センサと、読取り対象が均一な中間調である場合の前記光センサの光電変換出力に相当するデータを補正基準データとして格納する記憶手段と、前記補正基準データを用いて前記光センサ間の光電変換出力レベルを均一化する補正手段とを有することを特徴とする画像読取り装置。
（２）上記補正基準データは、白色の読取り対象に照射される光の照度を読取りモード時より低下させることで得られたことを特徴とする特許請求の範囲第１項記載の画像読取り装置。」（１頁左下欄５行〜１６行、特許請求の範囲）、
　イ　「［従来技術］
　画像読取り装置は、たとえば読取り対象である原稿に光を照射し、その反射光又は透過光を配列された多数個の光センサに入射させ、それら光センサを走査して原稿の画像情報を電気信号として出力するものである。
　この場合、多数の光センサ間で光電変換特性が若干異なっているのが現実であり、第４図（Ａ）のグラフに強調して示すように、回じ原稿濃度であっても光センサ間の光電変換出力にバラツキが存在する。
　このような出力のバラツキを補正し、原稿の画像情報に正確に対応した電気信号を得るために、従来の画像読取り装置では、基準白原稿を読取り、その時の光電変換出力を補正基準データとして記憶しておき、この補正基準データを用いて通常原稿の場合の光電変換出力を補正し、均一化を行っていた。
［発明が解決しようとする問題点］
　しかしながら、このような従来の画像読取り装置では、基準白に近い原稿は出力のバラツキがなく、原稿の画像を正確に変換することができるが、濃度が高く反射率が低い原稿であったり、温度変化、経時変化等によって出力が低下した場合は、補正後の出力レベルのバラツキが大さくなり、原稿の画像に正しく対応した電気信号を得ることができなくなるという問題点を有していた。
　すなわち、第４図（Ｂ）のグラフに示すように、基準白を中心に光電変換出力の補正を行っているために、基準白に近い原稿の読取りでは、補正基準データによって正しく補正され、各センサ間での出力レベルは均一化されているが、原稿の濃度が高くなり反射率が低下したり、温度変化や経時変化等によって出力が低下するに従って、上記補正基準データでは正確に補正されなくなり、各センサ間での出力レベルのバラツキが大きくなっている。このために、画像読取りが不正確となり、信頼性の低下を招来していた。」（１頁右下欄１３行〜２頁右上欄１０行）、
　ウ　「このように補正基準データが記憶部１０に格納されると、入力しようとする原稿２をセットし、スイッチ４および７を読取りモードの接続して、光センサ部ｌに通常の電圧を印加する。これによって、原稿２の画像情報が読取られ、その光電変換出力は、アンプ６で増幅された後、スイッチ７を介して補正回路９へ入力する。
　補正回路９は、入力した光電変換出力を記憶部ｌ０に格納されている補正基準データを用いて補正し、原稿２の画像情報に正確に対応した電気信号として出力する。
　なお、記憶部１０に格納されている補正基準データは、センサ電源部５の低電圧値を変えて設定モード動作を行う毎に更新することができるために、原稿２の状態（反射率等）によって最適の補正基準データを設定することができる。
　また、反射率の低い原稿でのオフセット出力によるバラツキも小さくなり、中間調や暗原稿での階調誤差が減少する。」（３頁右上欄１８行〜左下欄１６行）、
　エ　「第２図は、本発明の第二実施例の概略的ブロック構成図である。なお、第一実施例と同一部分には同一番号を付して説明は省略する。
　光センサ部ｌは、所望の方式の光センサが複数個配列され、センサ電源部１１から読取りを行うための一定電圧が印加される。
　光源３には、スイッチ１２を介して電源１３から通常電圧又は低電圧が印加される。スイッチ１２はスイッチ７と同時に切換わり、読取りモード時には通常電圧が、設定モード時には低電圧が各々光源３に印加される。すなわち、電源１３の通常電圧が光源３に印加されることで、原稿２の読取りに必要な照度が得られ、電源１３の低電圧が光源３に印加されることで、読取り時より低い照度が得られる。また、光源３はＬＥＤ等の光量制御可能な光源であればよい。
　このような構成の本実施例において、まず、基準白原稿２をセットし、スイッチ１２および７を設定モードの接続にして、光源３に電源１３から低電圧を印加する。これによって、光源３は低い照度で基準白原稿２を照射するために、中間調の原稿が読取られた時と同等の光電変換出力が補正データ発生回路８に入力し、補正基準データとして記憶部１０に格納される。すなわち、電源１３の低電圧値の設定を変化させることで、第５図に示すように、補正基準データを所望のの中間調レベルに設定することができる。
　こうして補正基準データが格納されると、第一実施例と同様に読取りモード動作が行われる。」（３頁左下欄１７行〜４頁左上欄５行）
が記載されている。
 これらの記載ア〜エ及び図面第１図〜第５図によれば、引用例１には、「光源３により読取り対象である原稿に光を照射し、その反射光又は透過光を光センサ部１にある配列された多数個の光センサに入射させ、それら光センサを走査して原稿の画像情報を電気信号として出力するものであり、光源３には、スイッチ１２を介して電源１３から通常電圧又は低電圧が印加され、即ち、スイッチ１２はスイッチ７と同時に切換わり、読取りモード時には通常電圧が、設定モード時には低電圧が各々光源３に印加され、電源１３の通常電圧が光源３に印加されることで、原稿２の読取りに必要な照度が得られ、電源１３の低電圧が光源３に印加されることで、読取り時より低い照度が得られる画像読取り装置において、
　基準白原稿２をセットし、スイッチ１２および７を設定モードの接続にして、光源３に電源１３から低電圧を印加し、これによって、光源３は低い照度で基準白原稿２を照射するために、中間調の原稿が読取られた時と同等の光電変換出力が補正データ発生回路８に入力し、補正基準データとして記憶部１０に格納される、
　入力しようとする原稿２をセットし、スイッチ４および７を読取りモードの接続して、光センサ部ｌに通常の電圧を印加し、これによって、原稿２の画像情報が読取られ、その光電変換出力は、アンプ６で増幅された後、スイッチ７を介して補正回路９へ入力し、補正回路９は、入力した光電変換出力を記憶部ｌ０に格納されている補正基準データを用いて補正し、原稿２の画像情報に正確に対応した電気信号として出力するものであって、
　反射率の低い原稿でのオフセット出力によるバラツキも小さくなり、中間調や暗原稿での階調誤差が減少することができ、
　電源１３の低電圧値の設定を変化させることで、補正基準データを所望の中間調レベルに設定することができることを特徴とする画像読取り装置。 」の発明（以下、「引用発明」という。）が記載されている。
　（２）原査定の拒絶の理由に引用された特開平３−７９１６１号公報（以下、「引用例２」という。）には、
　オ　「白基準板を読み取った時のラインイメージセンサの出力データを記録する白基準データ記憶手段と、黒基準板を読み取った時のラインイメージセンサの出力データあるいは光源を消燈した時の前記ラインイメージセンサの出力データを記憶する黒基準データ記憶手段と、原稿を読み取った時の前記ラインイメージセンサの出力データを、前記白基準データと前記黒基準データによって正規化する手段を備えている原稿読み取り装置において、前記白基準板、あるいは前記白基準板と前記黒基準板は、反射率の異なる複数の部所に分割されており、前記反射率の異なる複数の部所の中から選択を行って、白基準データ記憶あるいは白基準データ記憶と黒基準データ記憶を行うことを特徴とする原稿読み取り装置。」（１頁左下欄５行〜右下欄２行、特許請求の範囲）、
　カ　「〔従来の技術〕ラインイメージセンサを使用した原稿読み取り装置においては、その画像データの黒レベル及び白レベルの絶対値を規定するために明暗補正（シェーディング補正）を行うのが一般的である。具体的には原稿読み取り装置上に設置されている白基準板及び黒基準板を読み取った時の画像データをメモリに記憶し、それらのデータによって原稿を読み取った時のデータを正規化するものである。そしてこれら白基準板及び黒基準板は各１種類であるのが一般的である。第２図は従来の原稿読み取り装置を示す側面断面図であり、光源１より発した光が原稿台ガラス面２上に置かれた原稿３で反射し、その反射光をセルフォックレンズ４で密着型ラインイメージセンサ５上に結像し、画像データに変換するものである。そしてイメージセンサユニット６をモータ７及びベルト８により矢印Ａ方向に走査して、原稿用紙全面の読み取りを行う、また第３図は一般的なシェーディング補正回路を示すブロック図である。原稿読み取りを行うにあたっては、まず第１のタイミングでイメージセンサユニット６を黒基準板１０の真下（第２図矢印Ｂで示す）に移動し、黒基準板を読み取った画像データを黒基準データメモリに記憶する。次に第２のタイミングでイメージセンサユニット６を白基準板１１の真下（第２図矢印Ｃで示す）に移動し、白基準板を読み取ったデータから先に記憶した黒基準データを引いたものを白基準データメモリに記憶する。そして第３のタイミングで原稿３の下をイメージセンサユニット６を走査して実際の読み取りを行うが、その時、原稿の画像データより黒基準データを引いて、さらに白基準データで除算を行う。これにより正規化された画像データを得ることができる。すなわち画像データのダイナミックレンジは黒基準板の反射率から白基準板の反射率までの間となる。なお黒基準板１０は設置せずに、黒シェーデイングの際には光源１を消燈して行うといった方法もある。その場合には、もし迷光がないとすれば反射率０の黒基準板を読み取ったことに相当する。」（１頁右下欄１４行〜２頁右上欄１４行）、
　キ　「［課題を解決するための手段］そこで本発明は原稿読み取り装置上に、白基準板及び黒基準板の反射率の異なるものを複数設置することにより、画像データのダイナミックレンジ変更を容易に行えるようにした。
［作用］設置したい画像データのダイナミックレンジに対応して、白基準データ及び黒基準データ記憶時の読み取る白基準板及び黒基準板の反射率を選択することによって、容易にダイナミックレンジ変更が行える。」（２頁左下欄５行〜１５行）、
　ク　「〔実施例〕以下、本発明の実施例を図面に基づいて説明する。第１図は本発明における第１の実施例を示す側面断面図であり、第４図はその平面図である。ここで黒基準板１０は反射率の少しずつ異なる帯状の複数部所に分割（本実施例では１１−１〜１１−５の５ケ所）されており、これがバネ材１２によって原稿読み取り装置上にクリックされ、矢印Ｄで示した方向に動かすことが可能なっている。白基準板１１についても全く同様な構成となっている。読み取り動作を行うにあたっては、事前に黒基準板１０及び白基準板１１を移動して、所望の反射率の部所が各々矢印Ｂ、Ｃで示した位置にくるよう選択する。そして矢印Ｂ位置で黒シェーデイングを、矢印Ｃ位置で白シェーディングを行い、その後実際に原稿を読み取ってデータを正規化することにより、容易に画像データのダイナミックレンジ変更が行える。なお、白基準板及び黒基準板の素材としては、例えばアクリル材に酸化モリブデン、黒ウンモ等の顔料を混入して作られるが、顔料混合比等の制御によって反射率の異なる基準板を作ることは容易である。従って本実施例のような基準板を使用しても、はとんどコストアップ要因とはならない。第５図は本発明における第２の実施例を示す側面断面図であり、黒基準板１０及び白基準板１１は原稿読み取り装置上に固定設置されている。この場合には原稿読み取り装置上で、あるいはホストコンピュータ等により設定されたダイナミックレンジの値に対応して、黒シェーデイング及びシステムシェーディングを行うイメージセンサユニット６の位置を各々矢印Ｂ１〜Ｂ５、Ｃ１〜Ｃ５の中から選択する。通常、イメージセンサユニット６の移動制御はマイコン等のプログラムによって行われるため、本実施例においても回路的・システム的に何らコストアップ要因とはならない。」（２頁左下欄１６行〜３頁左上欄１２行）
が記載されている。
　
３．対比
　そこで、本願発明と引用発明とを対比する。
　引用発明の「光センサ」、「画像情報に対応した電気信号」及び「中間調の原稿」は、本願発明の「光電変換素子」、「画像信号」及び「白色と黒色との間の中間色原稿」に相当する。
　引用発明の「画像読み取り装置」は、光センサを走査して原稿の画像情報を電気信号として出力するであり、そのための手段を備えているから、光電変換素子からの出力信号のレベルに応じた画像信号を出力する画像処理手段とを備えているといえる。
　引用発明の「補正基準データ」は、光センサ間の光電変換出力のバラツキを補正し、原稿の画像情報に正確に対応した電気信号を得るためのものといえるから、本願発明の「シェーディング補正値」に相当し、引用発明の「記憶部１０」及び「補正回路９」は、本願発明の「シェーディング補正値記憶手段」及び「シェーディング補正手段」に相当する。
　したがって、本願発明と引用発明は、「原稿に光を照射しながらこの原稿を走査する光源と、この光源による原稿走査時にこの原稿からの反射光を受ける位置に配列された複数の光電変換素子と、これらの光電変換素子からの出力信号のレベルに応じた画像信号を出力する画像処理手段とを備えた画像読取り装置において、白色と黒色との間の中間色原稿からの反射光のレベルに相当するレベルの光をそれぞれ各光電変換素子に受光させた時の各光電変換素子からの出力信号のレベルのばらつきを削減する方向のシェーディング補正値を記憶するシェーディング補正値記憶手段と、上記光源による原稿走査時に上記シェーディング補正値記憶手段で記憶されたシェーディング補正値により各光電変換素子からの出力信号を補正するシェーディング補正手段とを備えたことを特徴とする画像読取り装置。」の点で一致し、以下の点で相違する。
　相違点１
　本願発明は、「上記原稿の種類に応じて設定された複数種の原稿モードの中から選択した原稿モードを外部から指定するための原稿モード指定手段」を備えているのに対して、引用発明では、電源１３の低電圧値の設定を変化させることで、補正基準データを所望の中間調レベルに設定することができるものであるが、原稿モード指定手段をそなえていない点。
　相違点２
　本願発明は、シェーディング補正値記憶手段が「白色と黒色との間の中間色原稿からの反射光のレベルに相当するレベルを含む複数種のレベルの光をそれぞれ各光電変換素子に受光させた時の各光電変換素子からの出力信号のレベルのばらつきを削減する方向の複数種のシェーディング補正値を記憶する」のに対して、引用発明では、その構成を備えていない点。
　相違点３
　本願発明は、シェーディング補正手段が「上記光源による原稿走査時に上記シェーディング補正値記憶手段で記憶されたシェーディング補正値のうち上記原稿モード指定手段で指定された原稿モードに対応するシェーディング補正値により各光電変換素子からの出力信号を補正する」のに対して、引用発明では、その構成を備えていない点。
　 
４．当審の判断
　以下、相違点１〜３について検討する。
  相違点１について
　画像読取り装置の技術分野において、モードを外部から指定するためモード指定手段を用いることは周知である。このことは、引用例２に、第１図では、黒基準板１０，白基準板１１の構成が記載され、第５図ではホストコンピュータが記載され、これらはモード指定手段といえること、特開平１−９４７６３号公報に複数のモード用シェーディング補正データメモリが制御部１０２に設けられるとともに操作部１０が記載され、これはモード指定手段といえること、特開昭６４−２３６８０号公報に読み取りモードスイッチ４３が記載され、これはモード指定手段といえること及び特開平５−２１９３６９号公報に操作パネル上のカラー／白黒切換えボタンが記載され、これはモード指定手段といえることから、明らかである。
　そして、引用発明の画像読取り装置は、電源１３の低電圧値の設定を変化させることで、補正基準データを所望の中間調レベルに設定することができるものであって、単一の補正基準データを用いるものではなく、原稿の種類に応じた複数の補正基準データを用いることを示唆しているといえる。また、引用発明に、原稿の種類に対応して、モードを外部から指定するためモード指定手段を用いることを格別困難にしている事情があるとは認められない。
　してみれば、引用発明において、上記周知な事項を採用して、「原稿の種類に応じて設定された複数種の原稿モードの中から選択した原稿モードを外部から指定するための原稿モード指定手段」を備えることとした点は、当業者が、容易に想到できたことである。
　相違点２について
　画像読取り装置の技術分野において、複数種のシェーディング補正値を記憶するシェーディング補正値記憶手段は周知である。このことは、特開平１−９４７６３号公報、特開平１−１８３９５５号公報の記載から明らかである。
　そして、上述したように、引用発明は、原稿の種類に応じた複数の補正基準データを用いることを示唆しているといえるものであり、シェーディング補正値記憶手段を備えているものである。
　してみれば、引用発明において、シェーディング補正値記憶手段が「白色と黒色との間の中間色原稿からの反射光のレベルに相当するレベルを含む複数種のレベルの光をそれぞれ各光電変換素子に受光させた時の各光電変換素子からの出力信号のレベルのばらつきを削減する方向の複数種のシェーディング補正値を記憶する」こととした点は、当業者が容易に想到できたことである。
　相違点３について
　信号処理を行う分野においては、各処理に必要な各データを予め記憶手段に記憶しておき、処理を指定する手段を用い特定な処理を指定すると、記憶装置から、その特定な処理に必要なデータを読み出して処理装置で処理を行うことは、慣用手段にすぎない。この慣用手段をシェーディング補正という処理を行う引用発明に適用することに格別困難性は認められない。
　引用発明は、原稿の種類に応じた複数の補正基準データを用いることを示唆しているといえ、また、シェーディング補正値記憶手段、シェーディング補正手段を備えているものである。そして、上述したように、画像読取り装置の技術分野において、モードを外部から指定するためモード指定手段を用いること及び複数種のシェーディング補正値を記憶するシェーディング補正値記憶手段はそれぞれ周知である。
　してみれば、引用発明に上記慣用手段を適用して、シェーディング補正手段が「上記光源による原稿走査時に上記シェーディング補正値記憶手段で記憶されたシェーディング補正値のうち上記原稿モード指定手段で指定された原稿モードに対応するシェーディング補正値により各光電変換素子からの出力信号を補正する」こととした点は、当業者が容易に想到できたことである。
 　 
５．むすび
　以上のとおり、本願発明は、引用例１〜２に記載された発明に基づいて当業者が容易に発明することができたものであるから、特許法第２９条第２項の規定により特許を受けることができない。
　したがって、本願は、他の請求項に係る発明について検討するまでもなく、拒絶されるべきものである。
　よって、結論のとおり審決する。